(57)【要約】【課題】耐衝撃性が高く、軽量で吸湿性が低く、板面に歪みが生じにくい筆記ボード用基板及びこれを用いた筆記ボードを提供する。【解決手段】平板状の芯材と、前記芯材の片面又は両面上に貼付される平板状の鋼板と、前記鋼板の表面を被覆する表面材とを有する筆記ボード用基板であって、前記芯材は、オレフィン系樹脂を材料とする無架橋の発泡体からなることを特徴とする筆記ボード用基板。【選択図】図１
0003149329.tif 000002
【実用新案登録請求の範囲】
【請求項１】
平板状の芯材と、前記芯材の片面又は両面上に貼付される平板状の鋼板と、前記鋼板の表面を被覆する表面材とを有する筆記ボード用基板であって、
前記芯材は、オレフィン系樹脂を材料とする無架橋の発泡体からなることを特徴とする筆記ボード用基板。
【請求項２】
前記芯材を構成する発泡体は、オレフィン系樹脂材料中に、長軸方向が基板面にほぼ垂直な楕円球状の気泡を含んでいることを特徴とする請求項１に記載の筆記ボード用基板。
【請求項３】
前記オレフィン系樹脂は、ポリエチレン又はポリプロピレンであることを特徴とする請求項１又は２に記載の筆記ボード用基板。
【請求項４】
前記芯材は表面にポリエチレンテレフタラート材料の不織布を有しており、前記鋼板は前記不織布と接着されることを特徴とする請求項１から３のいずれか１項に記載の筆記ボード用基板。
【請求項５】
請求項１から４のいずれか１項に記載の筆記ボード用基板を用いて製造される筆記ボード。
【考案の詳細な説明】
【技術分野】
【０００１】
本考案は、ホワイトボード、黒板等の筆記ボード用のボード基板及びこれを用いた筆記ボードに関し、特に、軽量で吸湿性が低く、板面に歪みが生じにくい筆記ボード用基板及びこれを用いた筆記ボードに関するものである。
【背景技術】
【０００２】
図１は、ホワイトボード、黒板、掲示板等の筆記ボードに一般的に用いられているボード基板の構成を示す図である。
図１に示すように、従来の筆記ボード用基板は、一定の厚みを有する合板等の芯材の両表面にホーロー、スチール等の薄い鋼板を接着してなるものである。この鋼板にマグネットシート等の表面材を貼付した後、枠材、支柱、粉受けなどが取り付けられて、筆記ボードが製造される
【考案の開示】
【考案が解決しようとする課題】
【０００３】
しかしながら、上記の従来の筆記ボード用基板は、合板等を芯材に用いているため、吸湿性が高く吸湿による歪みが生じやすく、柔軟性に乏しいという問題点があった。また、大寸法の筆記ボード用基板となると比較的高重量となり、運搬、設置等の取り扱いが大変となるという問題点もあった。また、一般的に芯材に用いられるベニヤ板、チップボード、パーチクルボードなどは、ほとんどが一定の限られた寸法でしか市販されておらず、かつ重量も重いことから、ボードの芯材に用いるには不便であるという事情もある。
一方で、軽量化のため芯材に発泡ポリスチレンなどを用いたものが提案されているが、乱暴な荷扱いによりボードが折れてしまうなどの問題点があった。発泡ポリスチレンに比較して衝撃に強いペーパーコア材を芯材に用いるものも提案されているが、いずれにしても周囲をカマチ材で覆う必要があるなど、構成が複雑化することから強度不足になるという問題点があった。
【０００４】
本考案はこのような従来の筆記ボード用基板が有する問題点に鑑みてなされたものであり、耐衝撃性が高く、軽量で吸湿性が低く、板面に歪みが生じにくい筆記ボード用基板及びこれを用いた筆記ボードを提供しようとするものである。
【課題を解決するための手段】
【０００５】
上記解決課題に鑑みて鋭意研究の結果、本考案者は、近年提案されているポリプロピレン等の樹脂材料に気泡を含ませた発泡体が筆記ボード用基板の芯材として最適な性質を有することに着目し、これを合板の代わりに筆記ボード用基板の芯材に用いることに想到し、下記の本考案をなすに至った。
【０００６】
すなわち、本考案は、平板状の芯材と、前記芯材の片面又は両面上に貼付される平板状の鋼板と、前記鋼板の表面を被覆する表面材とを有する筆記ボード用基板であって、前記芯材は、オレフィン系樹脂を材料とする無架橋の発泡体からなることを特徴とする筆記ボード用基板を提供するものである。
オレフィン系材料の無架橋発泡体を用いた平板状の芯材は、吸水性が低いため歪みにくく、軽量であり、厚さ方向の圧縮強さが大きいといった利点を有する。
【０００７】
本考案の筆記ボード用基板において、前記芯材を構成する発泡体は、オレフィン系樹脂材料中に、長軸方向が基板面にほぼ垂直な楕円球状の気泡を含んでいることを特徴とする。このような発泡体構造により、上記のような芯材の性質が得られる。
ここで、前記オレフィン系樹脂とは、ポリエチレン又はポリプロピレンなどである。
本考案の筆記ボード用基板において、前記芯材は表面にポリエチレンテレフタラート材料の不織布を有しており、前記鋼板は前記不織布と接着されることを特徴とする。これにより芯材材料であるオレフィン系樹脂の接着性の悪さを改善することができる。
【０００８】
本考案は、さらに、上記した筆記ボード用基板を用いて製造される筆記ボードを提供するものである。
【考案の効果】
【０００９】
以上説明したように、本考案によれば、オレフィン系樹脂材料に気泡を含ませた発泡体が筆記ボード用基板の芯材として用いることにより、耐衝撃性が高く、軽量で吸湿性が低く、板面に歪みが生じにくい筆記ボード用基板及びこれを用いた筆記ボードが提供される。
また、本考案の筆記ボード用基板及び筆記ボードは、オレフィン系樹脂材料の無架橋発泡体を用いるため、溶融によるリサイクルが容易であり、耐熱性・耐薬品性に優れており、さらに、前記発泡体の構造により厚さ方向の圧縮強さが大きいといった利点がある。
【考案を実施するための最良の形態】
【００１０】
本考案のボード粉受けについて、添付図面を参照しながら、その具体的な実施の形態を説明する。
図１は、本考案の一実施形態にかかる筆記ボード用基板の構成を模式的に示す図である。
図１において、本実施形態の筆記ボード用基板は、一定の厚みを有する平板状の芯材と、この芯材の両面に貼付された薄い鋼板とから構成されている。
【００１１】
本実施形態の筆記ボード用基板の芯材は、ポリプロピレン材料中に多数の気泡を含む無架橋の発泡体で作られている。発泡体中の気泡は、長軸が芯材の厚み方向を向いた楕円球状の気泡である。
このように芯材をポリプロピレン材料で作ることにより、従来の合板製の芯材に比べて、吸水性が低くなり歪みにくい芯材となる。また、合板製の芯材に比べて、軽量であり、高い耐衝撃性、耐熱性、耐薬品性を有する。
また、芯材の厚み方向を向いた楕円球状の気泡を含ませることにより、厚さ方向の圧縮強さが向上される。さらに、芯材は無架橋であるため再溶融してリサイクルすることが可能である。
【００１２】
本実施形態の筆記ボード用基板の鋼板は、鉄、鉄ホーロー、アルミホーローなどから作られている。
【００１３】
芯材と鋼板とを貼付する際には、芯材表面にＰＥＴ不織布等を貼り付け、このＰＥＴ不織布と鋼板とを接着剤で接着する。
【００１４】
このようにして、本実施形態の筆記ボード用基板が作成される。鋼板の表面は適当な表面材で被覆してもよい。
【００１５】
以上、本考案の筆記ボード用基板及びこれを用いた筆記ボードについて、具体例を図示しながら説明したが、筆記ボード用基板の各構成材の材質、作成方法、貼り付け方法などは上記した例に限定されるわけではなく、必要に応じて様々な変更を適宜加えることが可能である。
上記した実施形態では、筆記ボード用基板の芯材としてポリプロピレンを用いることとしているが、これに限らず、他のオレフィン系樹脂材料（例えばポリエチレン）を用いても同様の効果を得ることができる。
【産業上の利用可能性】
【００１６】
本考案の筆記ボード用基板及は、ホワイトボード、黒板、掲示板等の筆記・掲示用ボードとして利用することが可能である。
【図面の簡単な説明】
【００１７】
【図１】本考案の一実施形態にかかる筆記ボード用基板の構成を模式的に示す図である。
【図１】
0003149329.tif 000003
【手続補正書】
【提出日】平成20年10月22日(2008.10.22)
【手続補正１】
【補正対象書類名】実用新案登録請求の範囲
【補正対象項目名】全文
【補正方法】変更
【補正の内容】
【実用新案登録請求の範囲】
【請求項１】
平板状の芯材と、前記芯材の片面又は両面上に貼付される平板状の表面材とを有する筆記ボード用基板であって、
前記芯材は、オレフィン系樹脂を材料とする無架橋の発泡体からなることを特徴とする筆記ボード用基板及び掲示ボード用基板。
【請求項２】
前記芯材を構成する発泡体は、オレフィン系樹脂材料中に、長軸方向が基板面にほぼ垂直な楕円球状の気泡を含んでいることを特徴とする請求項１に記載の筆記ボード用基板及び掲示ボード用基板。
【請求項３】
前記オレフィン系樹脂は、ポリエチレン又はポリプロピレンであることを特徴とする請求項１又は２に記載の筆記ボード用基板及び掲示ボード用基板。
【請求項４】
前記芯材は表面にポリエチレンテレフタラート材料の不織布を有しており、前記表面材は前記不織布と接着されることを特徴とする請求項１から３のいずれか１項に記載の筆記ボード用基板及び掲示ボード用基板。
【請求項５】
請求項１から４のいずれか１項に記載の筆記ボード用基板を用いて製造される筆記ボード及び掲示ボード用。
【手続補正書】
【提出日】平成21年1月19日(2009.1.19)
【手続補正１】
【補正対象書類名】実用新案登録請求の範囲
【補正対象項目名】全文
【補正方法】変更
【補正の内容】
【実用新案登録請求の範囲】
【請求項１】
平板状の芯材と、前記芯材の片面又は両面上に貼付される平板状の表面材とを有する筆記ボード用基板であって、
前記芯材は、オレフィン系樹脂を材料とする無架橋の発泡体からなることを特徴とする筆記ボード用基板。
【請求項２】
前記芯材を構成する発泡体は、オレフィン系樹脂材料中に、長軸方向が基板面にほぼ垂直な楕円球状の気泡を含んでいることを特徴とする請求項１に記載の筆記ボード用基板。
【請求項３】
前記オレフィン系樹脂は、ポリエチレン又はポリプロピレンであることを特徴とする請求項１又は２に記載の筆記ボード用基板。
【請求項４】
前記芯材は表面にポリエチレンテレフタラート材料の不織布を有しており、前記表面材は前記不織布と接着されることを特徴とする請求項１から３のいずれか１項に記載の筆記ボード用基板。
【請求項５】
請求項１から４のいずれか１項に記載の筆記ボード用基板を用いて製造される筆記ボード。
【請求項６】
平板状の芯材と、前記芯材の片面又は両面上に貼付される平板状の表面材とを有する掲示ボード用基板であって、
前記芯材は、オレフィン系樹脂を材料とする無架橋の発泡体からなることを特徴とする掲示ボード用基板。
【請求項７】
前記芯材を構成する発泡体は、オレフィン系樹脂材料中に、長軸方向が基板面にほぼ垂直な楕円球状の気泡を含んでいることを特徴とする請求項６に記載の掲示ボード用基板。
【請求項８】
前記オレフィン系樹脂は、ポリエチレン又はポリプロピレンであることを特徴とする請求項６又は７に記載の掲示ボード用基板。
【請求項９】
前記芯材は表面にポリエチレンテレフタラート材料の不織布を有しており、前記表面材は前記不織布と接着されることを特徴とする請求項６から８のいずれか１項に記載の掲示ボード用基板。
【請求項１０】
請求項６から９のいずれか１項に記載の掲示ボード用基板を用いて製造される掲示ボード。